(57)【特許請求の範囲】
【請求項１】
洗い場床部と、前記洗い場床部と隣接した位置に設置された浴槽と、の間に形成される開口部を塞ぐバスエプロンの取付構造であって、
前記バスエプロンは、
前記洗い場床部の上方に配置された洗い場カウンターの側端部全体と干渉する位置に取り付けられ、高さ方向長さが前記開口部の鉛直方向長さよりも小さく形成された第１エプロン部材と、
全体が前記洗い場カウンターの側端部と干渉しない位置に取り付けられ、前記第１エプロン部材と接合可能な第２エプロン部材とが分割形成されており、
前記第２エプロン部材は、前記第１エプロン部材および前記洗い場カウンターが所定位置に取付けられた状態で着脱可能であり、
前記第２エプロン部材が取り外された状態における前記第１エプロン部材は、前記第２エプロン部材が外れたことにより形成されたスペースに移動させて前記洗い場カウンターが所定位置に取付けられた状態で着脱可能であることを特徴とするバスエプロンの取付構造。
【請求項２】
前記第１エプロン部材と前記第２エプロン部材との水平方向の接合部は、前記洗い場カウンターよりも下方位置に配置されていることを特徴とする請求項１記載のバスエプロンの取付構造。
【発明の詳細な説明】
【技術分野】
【０００１】
本発明は、浴槽の洗い場床部側の側面を掩蔽するバスエプロンの取付構造に関するものである。
【背景技術】
【０００２】
ユニットバスの中には、浴槽と、防水パンと、バスエプロンとが分割形成されたものがある。このようなユニットバスは、浴槽と、防水パンと、バスエプロンとが施工現場にそれぞれ分割された状態で搬入され、その施工現場にて組み立てられる。
【０００３】
バスエプロンは、組み立て業者がユニットバスを組み立てた後に、設備業者が追い炊き金具を取り付ける時や、修理業者が故障時に浴槽裏の器具などの修理する時のために、図１１に示すような方法（ケンドン式）で着脱可能にすることが一般的である。
【０００４】
しかしながら、洗い場カウンターの側端部がバスエプロンと干渉する位置まで延在形成されたユニットバスの場合、バスエプロンの一部が洗い場カウンターの側端部と干渉することになり、洗い場カウンターを外した状態でないと、バスエプロンの着脱ができなくなるという問題がある。
【０００５】
そこで、特許文献１および図１２に示すように、鉛直方向に分割面が形成されるように、バスエプロンを２分割したものが開示されている。このようなバスエプロンであれば、洗い場カウンターと干渉しない位置に配置された大型エプロン部材２０１を外した状態で、小型エプロン２０２を水平方向にスライドさせて、小型エプロン２０２を洗い場カウンター２０３と干渉しない位置まで移動させることで、洗い場カウンター２０３が所定位置に取り付けられたままの状態で、小型エプロン２０２を着脱することが可能となる。
【先行技術文献】
【特許文献】
【０００６】
【特許文献１】特開２００９−１７８４６３号公報
【発明の概要】
【発明が解決しようとする課題】
【０００７】
しかしながら、図１３に示すように、洗い場カウンターの側端部がバスエプロンと干渉する位置まで延在形成されたユニットバスであって、且つ洗い場側の辺が非直線状の浴槽を用いた場合は、洗い場カウンターを取り外すことなく、小型エプロンを着脱することができない場合がある。具体的には、図１３のように、洗い場カウンターにおけるバスエプロン側端部の前出寸法Ｌ１が、洗い場カウンターにおけるバスエプロン側端部の前端部から浴槽の膨出部までの距離Ｌ２よりも大きい場合、小型エプロンを洗い場カウンターの側端部と干渉しない位置まで水平方向にスライドできない。
【０００８】
このような場合、洗い場カウンターを取り外さなければ、バスエプロン全体を着脱できないため、作業が大掛かりになってしまうという問題が生じる。
【０００９】
本発明は、このような事情に鑑みてなされたものであり、浴槽形状に関わらず、洗い場カウンターを所定位置に取り付けたままの状態で、バスエプロン全体を着脱できるバスエプロンの取付構造を提供することを目的とする。
【課題を解決するための手段】
【００１０】
この目的を達成するため本発明は、洗い場床部と、前記洗い場床部と隣接した位置に設置された浴槽と、の間に形成される開口部を塞ぐバスエプロンの取付構造であって、前記バスエプロンは、前記洗い場床部の上方に配置された洗い場カウンターの側端部全体と干渉する位置に取り付けられ、高さ方向長さが前記開口部の鉛直方向長さよりも小さく形成された第１エプロン部材と、全体が前記洗い場カウンターの側端部と干渉しない位置に取り付けられ、前記第１エプロン部材と接合可能な第２エプロン部材とが分割形成されており、前記第２エプロン部材は、前記第１エプロン部材および前記洗い場カウンターが所定位置に取付けられた状態で着脱可能であり、前記第２エプロン部材が取り外された状態における前記第１エプロン部材は、前記第２エプロン部材が外れたことにより形成されたスペースに移動させて前記洗い場カウンターが所定位置に取付けられた状態で着脱可能であることを特徴とするバスエプロンの取付構造を提供するものである。
【００１１】
この構成により、バスエプロンを取り外す時には、まず洗い場カウンターと干渉していない状態の第２エプロン部材を取り外す。次いで洗い場カウンターと干渉した状態の第１エプロン部材を、第２エプロン部材が外れたことにより形成されたスペースを利用して上方または下方にスライドさせて洗い場カウンターと干渉しない位置まで移動させて取り外すことができる。したがって、洗い場カウンターを所定位置に取り付けたまま、且つ浴槽の形状に関わらず、バスエプロン全体を所定位置から取り外すことが可能となる。また、バスエプロンを取り付ける時には、まず第１エプロン部材を洗い場カウンターの側端部と干渉する位置に配置されるように上方または下方にスライドさせて取り付ける。次いで、第２エプロン部材を所定位置に取り付ける。したがって、洗い場カウンターを所定位置に取り付けたまま、且つ浴槽の形状に関わらず、バスエプロン全体を所定位置に取り付けることが可能となる。
【００１２】
また、本発明に係るバスエプロンの取付構造は、前記第１エプロン部材と前記第２エプロン部材との水平方向の接合部は、前記洗い場カウンターよりも下方位置に配置されていることが好ましい。この構成により、水平方向の接合部が洗い場カウンターの下部に隠れるため、使用者からは、水平状の接合部が見えにくくなり、意匠性に優れる。
【発明の効果】
【００１３】
本発明によれば、浴槽形状に関わらず、洗い場カウンターを所定位置に取り付けたままの状態で、バスエプロン全体を着脱できるバスエプロンの取付構造を提供することができる。
【図面の簡単な説明】
【００１４】
【図１】本発明の浴室ユニットを示す模式斜視図である。
【図２】本発明の第１実施形態に係る浴室ユニットを示す平面図と斜視図である。
【図３】本発明の第１実施形態に係る図１のＡ−Ａ断面図である。
【図４】本発明の第１実施形態に係る図１のＢ−Ｂ断面図である。
【図５】第１エプロン部材と第２エプロン部材の接合部を拡大して示す模式斜視図である。
【図６】第２エプロン部材を取り外した状態を示す模式斜視図である。
【図７】第１エプロン部材を下方にスライドさせた状態を示す模式斜視図である。
【図８】第１エプロン部材を開口部に挿入した状態を示す模式斜視図である。
【図９】第１エプロン部材を上方にスライドさせた状態を示す模式斜視図である。
【図１０】本発明の第２実施形態に係る浴室ユニットを示す平面図と斜視図である。
【図１１】従来のバスエプロン着脱構造を示す模式斜視図である。
【図１２】従来のバスエプロン着脱構造を示す模式斜視図である。
【図１３】従来のバスエプロン着脱構造を示す平面図と斜視図である。
【発明を実施するための形態】
【００１５】
図１に示す本発明におけるユニットバス１は、防水パン２と、浴槽３と、バスエプロン４とがそれぞれ分割形成されている。これら防水パン２、浴槽３、バスエプロン４は、施工現場にそれぞれ分割された状態で搬入され、その施工現場にて組み立てられる。
【００１６】
防水パン２の上面には、ユニットバス１の洗い場床面を構成する洗い場床部２１と、浴槽を載置する浴槽載置部２２とが設けられており、それらの境界には、上方に突出した水返しのための土手部２３が形成されている。また、防水パン２の周縁部には、壁パネルを載置するための壁載部２４が形成されている。
【００１７】
浴槽３は、水を溜めることが可能な溜水部３１と、溜水部の上端から外方に延出されたリム部３２とが形成されている。バスエプロン４が取り付けられる辺に位置するリム部３２の裏側には、図３および図４に示すようにバスエプロン４の上端が嵌合する下方に開口した凹状溝３３が連続して形成されている。また、本実施形態における、浴槽３のバスエプロン取り付け辺は、図１および図２の平面図に示すように非直線状に構成されている。具体的には、上面視で両端部が直線状に形成されており、その中間部が洗い場床部２１側に膨出した形状になっており、凹状溝３３もバスエプロン取り付け辺に沿う形状（非直線状）に形成されている。
【００１８】
バスエプロン４は、浴槽の凹状溝３３と、防水パン２の土手部２３との間に形成された開口部全体を掩蔽するように着脱可能に取り付けられている。
【００１９】
図１に示すように洗い場床部２１側の壁載部２４の上に立設された壁パネルには、洗面器や入浴道具を置くことができる洗い場カウンター７が、ユニットバス１の内方側に突出した状態で取り付けられている。この洗い場カウンター７は、洗い場床部２１よりも上方に空間を空けて配置されており、一側端がバスエプロン４と近接した位置に配置され、他側端がバスエプロン４と対面する壁パネルと近接した位置に配置されるように延在形成されている。尚、説明の便宜上、洗い場カウンター７の後端が取り付けられる壁面を、以後、洗い場カウンター側壁面７１として示す。
【００２０】
尚、図２の平面図に示すように、洗い場カウンター７の前出方向の長さＬ１は、洗い場カウンター７の前端部から膨出部までの水平方向の長さＬ２よりも長く形成されている。
【００２１】
本実施形態におけるバスエプロン４は、図２の側面図に示すように小型の第１エプロン部材４１と大型の第２エプロン部材４２から構成されており、第１エプロン部材４１と第２エプロン部材４２はそれぞれ分割形成されている。第１エプロン部材４１は、一部が洗い場カウンター７の一側端の全体と干渉する位置に配置されており、第２エプロン部材４２は、全体が洗い場カウンター７の一側端と干渉しない位置に配置されている。この第１エプロン部材４１と第２エプロン部材４２の平面積の和が、開口部の総面積と略等しくなるように構成されている。
【００２２】
次に、本発明の第１実施形態に係る第１エプロン部材４１と第２エプロン部材４２の構造について以下に説明する。
【００２３】
本実施形態に係る第１エプロン部材４１と第２エプロン部材４２の分割面は、図２の側面図に示すように、正面視で略Ｌ字状に形成されており、互いの縁部に形成された分割面で互いが嵌合する構造になっている。
【００２４】
第１エプロン部材４１の高さ方向の長さは少なくとも開口部の鉛直方向の長さよりも小さく形成されている。また、第１エプロン部材４１の幅方向の長さは少なくとも開口部の水平方向長さよりも小さく、且つ洗い場カウンター７の前出方向の長さよりも大きく形成されている。本実施形態では、このように形成された第１エプロン部材を、上端が浴槽３の凹状溝３３に嵌まるように取り付けている。つまり、第１エプロン部材４１の下端は、土手部２３から上方に離間した位置に配置されており、後述する第２エプロン部材４２の下部側の上端と嵌合して取り付けられている。また、第１エプロン部材４１の一側端は洗い場カウンター側壁面７１と当接するように取り付けられており、他側端は後述する第２エプロン部材４２の上部側の側端部と嵌合して取り付けられている。
【００２５】
第２エプロン部材４２は、上部側と下部側とが、異なる幅方向の長さで一体状に形成されている。具体的には、第２エプロン部材４２の上部側における洗い場カウンター側壁面７１側には、第１エプロン部材４１が接合されるためのＬ字状の切り欠きが形成されている。つまり、第２エプロン部材４２の上部側の幅方向長さは、少なくとも開口部の水平方向の長さよりも小さく形成されており、第２エプロン部材４２の下部側の幅方向長さは、少なくとも開口部の水平方向の長さと略等しく形成されている。言い換えると、第２エプロン部材４２の上部側の幅方向長さと、第１エプロン部材４１の幅方向長さとの和が、第２エプロン部材４２の下部側の幅方向長さと略等しくなるように形成されている。また、第２エプロン部材４２の上部側の高さ方向長さと、第１エプロン部材４１の高さ方向長さは、略等しくなるように形成されている。言い換えると、第２エプロン部材４２の上部側の高さ方向長さと、下部側の高さ方向長さとの和が、第２エプロン部材４２の下部側の高さ方向長さと、第１エプロン部材４１の高さ方向長さとの和と略等しくなるように形成されている。本実施形態では、このように形成された第２エプロン部材４２の上部側の上端が浴槽の凹状溝３３に嵌まるように取り付け、第２エプロン部材４２の下部側の下端が土手部２３と当接するように配置されている。
【００２６】
第１エプロン部材４１と第２エプロン部材４２の縁部に形成された接合部は、図４および図５に示すように第１エプロン部材４１の側端部背面側には外方に突出した鍔部４３が形成されており、第２エプロン部材４２の側端部背面側には鍔部４３が嵌まる段落ち部４４が形成されている。このようにして第１エプロン部材４１と第２エプロン部材４２の接合部が嵌合されている。
【００２７】
上述した構成のバスエプロン４によれば、浴槽形状がいかなる場合であっても、洗い場カウンター７を所定位置に取り付けたままの状態で、バスエプロン４全体を容易に着脱することが可能となる。
【００２８】
以下に洗い場カウンター７の一側端がバスエプロン４と近接した所定位置に配置されている状態において、洗い場カウンター７を取り外すことなく、バスエプロン４全体を取り外す手順について説明する。
【００２９】
まず、図３に示す第２エプロン部材４２の下端と防水パン２の土手部２３とを固定しているネジの固定を解除する。次に、凹状溝３３に嵌まっている第２エプロン部材４２の上端を回転軸として、第２エプロン部材４２の下端を洗い場床部２１側に引き寄せて第２エプロン部材４２を傾けた状態とする。この時、第２エプロン部材４２は、全体が洗い場カウンター７の一側端と干渉しない位置に配置されているため、洗い場カウンター７が障害になることなく、第２エプロン部材４２を傾けることができる。また、第１エプロン部材４１との接合部は、図４および図５のような構造になっているため、第１エプロン部材４１との嵌合が障害になることなく、第２エプロン部材４２を傾けることができる。そして、第２エプロン部材４２の下端を土手部２３と干渉しない位置まで引き寄せたら、第２エプロン部材４２の全体を下方に下げる。すると、第２エプロン部材４２の上端と凹状溝３３との嵌合が外れ、第２エプロン部材４２を取り外すことができる（図６）。
【００３０】
尚、第１エプロン部材４１は、凹状溝３３に対してパッキン等の水密部材を介して嵌合されており、第２エプロン部材４２が外れた状態においても、落下しないようになっている。
【００３１】
第１エプロン部材４１は、第２エプロン部材４２が外れた状態では、第２エプロン部材４２の下端と土手部２３との間にスペースがあるため、下方に移動させることができる。下方に移動させると、第１エプロン部材４１の上端と凹状溝３３との嵌合が外れる（図７）。凹状溝３３との嵌合が外れれば、第１エプロン部材４１は自由に角度を変えることができ、第１エプロン部材４１を傾けて洗い場カウンター７の下方から抜き出して第１エプロン部材４１を取り外すことができる。
【００３２】
上述した手順により、洗い場カウンター７を所定位置に取り付けたままの状態で、バスエプロン４全体を取り外すことができる。
【００３３】
次に、洗い場カウンター７の一側端が所定位置に配置されている状態において、洗い場カウンター７を取り外すことなく、バスエプロン４全体を取り付ける手順について以下に説明する。
【００３４】
まず、第１エプロン部材４１を傾けるなどして、洗い場カウンター７の下方から開口部に挿入し（図８）、上端が凹状溝３３と嵌合するように且つ、側端部が洗い場カウンター７側壁面と当接するように上方に移動させて所定位置に取り付ける。この状態で、第１エプロン部材４１は洗い場カウンター７の一側端全体と干渉する位置に配置される（図９）。
【００３５】
第２エプロン部材４２は、第１エプロン部材４１を取り付けた後に、傾けた状態で上部側の上端が凹状溝３３と嵌合するように、且つ第一エプロン部材との接合部が嵌合するように、ケンドン方式で所定位置に取り付ける。この時、第二エプロン部材は、全体が洗い場カウンター７の一側端と干渉しない位置に配置される。そして、第二エプロン部材の下端を土手部２３と当接するよう垂直にし、第二エプロン部材の下端と防水パン２の土手部２３とをネジで締めつけ固定することで第二エプロン部材を所定位置に取り付けることができる（図１）。
【００３６】
上述した手順により、洗い場カウンター７を所定位置に取り付けたままの状態で、バスエプロン４全体を取り付けることができる。
【００３７】
尚、図２の側面図に示すように本実施形態では、第一エプロン部材４１の下端を構成する水平状の接合部は、洗い場カウンター７より下方に配置されている。この構成により、水平方向の接合部が洗い場カウンター７の下部に隠れるため、使用者からは、水平状の接合部が見えにくくなり、意匠性に優れるという効果を奏する。
【００３８】
次に、本発明の第２の実施形態に係る第１エプロン部材４１と第２エプロン部材４２の構造について説明する。本実施形態では、第１エプロン部材４１と第２エプロン部材４２の分割位置が異なる。それ以外については、第一の実施形態と同様であるため説明を省略する。
【００３９】
本実施形態に係る第１エプロン部材４１と第２エプロン部材４２の分割面は、図１０の側面図に示すように、正面視でＬ字状を上下反転させた形状に形成されており、分割面で互いが嵌合する構造になっている。
【００４０】
第１エプロン部材４１の高さ方向の長さは少なくとも開口部の鉛直方向の長さよりも小さく形成されている。また、第１エプロン部材４１の幅方向の長さは少なくとも開口部の水平方向長さよりも小さく、且つ洗い場カウンター７の前出方向の長さよりも大きく形成されている。本実施形態では、このように形成された第１エプロン部材４１を、下端が土手部２３に当接するように取り付けている。つまり、第１エプロン部材４１の上端は、凹状溝３３から下方に離間した位置に配置されており、後述する第２エプロン部材４２の上部側の下端と嵌合して取り付けられている。また、第１エプロン部材４１の一側端は洗い場カウンター側壁面７１と当接するように取り付けられており、他側端は後述する第２エプロン部材４２の下部側の側端部と嵌合して取り付けられている。
【００４１】
第２エプロン部材４２は、上部側と下部側とが、異なる幅方向の長さで一体状に形成されている。具体的には、第２エプロン部材４２の下部側における洗い場カウンター側壁面７１側には、第１エプロン部材４１が接合されるための切り欠きが形成されている。つまり、第２エプロン部材４２の下部側の幅方向長さは、少なくとも開口部の水平方向の長さよりも小さく形成されており、第２エプロン部材４２の上部側の幅方向長さは、開口部の水平方向の長さと略等しく形成されている。言い換えると、第２エプロン部材４２の下部側の幅方向長さと、第１エプロン部材４１の幅方向長さとの和が、第２エプロン部材４２の上部側の幅方向長さと略等しくなるように形成されている。また、第２エプロン部材４２の上部側の高さ方向長さと、第１エプロン部材４１の高さ方向長さは、略等しくなるように形成されている。言い換えると、第２エプロン部材４２の下部側の高さ方向長さと、上部側の高さ方向長さとの和が、第２エプロン部材４２の上部側の高さ方向長さと、第１エプロン部材４１の高さ方向長さとの和と略等しくなるように形成されている。本実施形態では、このように形成された第２エプロン部材４２の上部側の上端が浴槽３の凹状溝３３に嵌まるように取り付け、第２エプロン部材４２の下部側の下端が土手部２３と当接するように配置されている。
【００４２】
第１エプロン部材４１と第２エプロン部材４２との接合部は、第１実施形態と同様に第１エプロン部材４１の側端部背面側に外方に突出した鍔部４３が形成されており、第２エプロン部材４２の側端部背面側に鍔部４３が嵌まる段落ち部４４が形成されている。このようにして第１エプロン部材４１と第２エプロン部材４２の接合部が嵌合されている。
【００４３】
上述した構成のバスエプロン４によれば、第１の実施形態と同様の取り外し、取り付け手順をとることにより浴槽形状がいかなる場合であっても、洗い場カウンター７を所定位置に取り付けたままの状態で、バスエプロン４全体を容易に着脱することが可能となる。
【００４４】
尚、上述したバスエプロン４は、第１エプロン部材４１と第２エプロン部材４２の２部材から構成されたものを説明してきたが、同様の効果を得られるものであれば、さらに複数枚に分割形成させても良い。
【符号の説明】
【００４５】
１…ユニットバス、２…防水パン、３…浴槽、４…バスエプロン、７…洗い場カウンター、２１…洗い場床部、２２…浴槽載置部、２３…土手部、２４…壁載部、３１…溜水部、３２…リム部、３３…凹状溝、４１…第１エプロン部材、４２…第２エプロン部材、４３…鍔部、４４…段落ち部、７１…洗い場カウンター側壁面
【図１】
0005577663.tif 000002
【図２】
0005577663.tif 000003
【図３】
0005577663.tif 000004
【図４】
0005577663.tif 000005
【図５】
0005577663.tif 000006
【図６】
0005577663.tif 000007
【図７】
0005577663.tif 000008
【図８】
0005577663.tif 000009
【図９】
0005577663.tif 000010
【図１０】
0005577663.tif 000011
【図１１】
0005577663.tif 000012
【図１２】
0005577663.tif 000013
【図１３】
0005577663.tif 000014